(57)【要約】両側で接続可能なバックプレーンは、計画位置の幅に応じて１つ以上の前部バックプレーンコネクタが配列される一方の側と、計画位置の幅に応じて１つ以上の後部バックプレーンコネクタが配列される他方の側とを持ち、前部バックプレーンコネクタおよび接近した後部バックプレーンコネクタは、両側で接続可能なバックプレーン上で同じ水平レベルに位置し、かつ、左右で順にずらされ、前部バックプレーンコネクタおよび前記後部バックプレーンコネクタは、一定の仕様及び同じ接触ピンの形状を持つ。この発明による両側で接続可能なバックプレーンが、通常のコネクタでもって、前部のボードと後部のボードとで容易な交換を実現でき、そして、プリント回路基板の設計および製造、及びバックプレーンの製作に対して特殊な要求を持たず、結果、処理時の製作コストおよび困難性を低減する。同時に、前部ボード及び後部ボードの交換はボードの設計コストを減じる。
2006524908.tif 000002
【特許請求の範囲】
【請求項１】
両側で接続可能なバックプレーンであり、計画位置の幅に応じて１つ以上の前部バックプレーンコネクタが配列される一方の側と、計画位置の幅に応じて１つ以上の後部バックプレーンコネクタが配列される他方の側とを持ち、前部バックプレーンコネクタおよび接近した後部バックプレーンコネクタは、両側で接続可能なバックプレーン上で同じ水平レベルに位置し、かつ、左右で順にずらされ、前部バックプレーンコネクタおよび前記後部バックプレーンコネクタは、一定の仕様および同じ接触ピンの形状を持つことを特徴とする両側で接続可能なバックプレーン。
【請求項２】
前部バックプレーンコネクタおよび接近した後部バックプレーンコネクタは、一つのスロット位置の幅を共有する請求項１記載の両側で接続可能なバックプレーン。
【請求項３】
前部および後部のバックプレーンコネクタは、電源インターフェースおよび信号インターフェースを備える請求項１記載の両側で接続可能なバックプレーン。
【請求項４】
前記電源インターフェースのコネクタおよび信号インターフェースのコネクタは、共通のパックプレーンコネクタである請求項３記載の両側で接続可能なバックプレーン。
【請求項５】
電源インターフェースおよび信号インターフェースの双方は、上端および下端のコーナに、ガイド用／エラー阻止用のピンを備える請求項１記載の両側で接続可能なバックプレーン。
【発明の詳細な説明】
【発明の詳細な説明】
【０００１】
[発明の分野]
この発明は通信装置で使用されるバックプレーンに関し、特に両側でプラグ接続できるバックプレーンに関する。
[発明の背景]
現在のところ、通信システムの統合のための高い要求で、バックプレーン技術で、両側で接続可能なバックプレーンのために、スロットの個数を直接増やすことが傾向になっている。スロットの数の増加は、ボード上にシステムサービスの個々の配置のバランスをとることを改善し、多生産統合のための実行可能性だけでなく、設計の柔軟性と信頼性に直接結びつく。
【０００２】
図１は、従来技術による、両側で接続できるバックプレーンとボードとの接続の概略的に示す。図１で示されるように、前部のボード１００は、プラグの手段１０１により、両側で接続できるバックプレーン１１０の前部のバックプレーンコネクタ１１１に接続され、そして、後部のボード１２０は、プラグの手段１２１により、両側で接続できるバックプレーン１１０の後部のバックプレーンコネクタ１１２に接続される。前部ボード１００は対応する後部ボード１２０と整列する。しかしながら、前部のバックプレーンコネクタ１１１と後部バックプレーンコネクタ１１２は異なった水平なレベルで位置し、また、前部のボード１００のプラグ１０１と、後部のボード１２０のプラグ１２１も異なった水平なレベルで位置し、つまり、それらは上下でずれている。前部のバックプレーンコネクタ１１１と後部バックプレーンコネクタ１１２は、接触ピンとのインターフェースのために一定の定義を持つことができるが、それらは異なった水平位置を持つので、前部のボード１００と後部のボード１２０は、両側で接続できるバックプレーン上で、交換できない。
【０００３】
この種の両側接続可能なバックプレーンが、打ち勝ちがたい不都合を持つことがわかる。より明確には、後部スロット内のボードは、前部スロット内のそれと交換することができず、２個のフレームの背中合わせの統合も本質的に同様である。
【０００４】
上の不都合を目的として、船首から船尾までの溝位置でボードを交換できるように、特別のバックプレーンコネクタを採用した設計が提案されている。
【０００５】
図２は従来技術に基づく交換可能な両側で接続できるバックプレーンとボードを例証する概略図である。図示のように、前部のボード２００はプラグ２０１の手段により、両側接続可能なバックプレーン２１０の前部バックプレーンコネクタ２１１にプラグ接続され、そして、後部のボード２２０はプラグ２２１の手段により、両側接続可能なバックプレーン２１０の後部バックプレーンコネクタ２１２にプラグ接続される。前部バックプレーンコネクタ２１１および後部バックプレーンコネクタ２１２の双方は、電源インターフェースおよび信号インターフェースを備え、それらは同じ水平のレベルに位置する。一方、前部バックプレーンコネクタ２１１および後部バックプレーンコネクタ２１２は、インターフェース接触ピンに対する一定の形状を有し、そのため、前部ボード２００および後部ボード２２０はバックプレーン上で交換できない。
【０００６】
ここで、両側接続可能なバックプレーン上の前部バックプレーンコネクタ２１１およびバックプレーンコネクタ２１２は、同一の特別のバックプレーンコネクタであり、そして、それらは、上下位置および、船首から船尾まで位置で完全に整列する。前部バックプレーンコネクタ２１１および後部バックプレーンコネクタ２１２の接触ピンの深さは、バックプレーンの厚さの半分にほぼ等しいか、それ以下でなくてはならず、また、接触ピンはそれぞれで絶縁されなければならない。
【０００７】
上述した両側接続のバックプレーンは、それの回路基板に対して、やや高い要求を持つ。回路基板の厚み誤差はきわめて小さくなければならず、そうでなければ、特定のバックプレーンコネクタの接触ピンの深さがバックプレーンの厚さのほぼ半分に等しいか、それ以下であり、かつ、接触ピンが互いに絶縁されることを保証できない。バックプレーンでのプリント回路基板の設計および製造、およびバックプレーンの製作に対する特殊な要求は、処理等でコストおよび困難性のような克服しがたいいくつかの困難に直面する。したがって、この種の両側で接続可能なバックプレーンは、実用的な製造に適用されるよりまだ設計の段階にむしろある。
【０００８】
[発明の概要]
この観点から、この発明の目的は、前部ボードと後部ボードの交換を実現でき、両側接続できるバックプレーンの設計および製造の困難をなくし、更に、ボードの設計コストを低減できる、両側で接続できるバックプレーンを提供することである。
【０００９】
この目的を達成するために、この発明の技術的なスキームは以下により実施される。
【００１０】
両側で接続可能なバックプレーンは、計画位置の幅に応じて１つ以上の前部バックプレーンコネクタが配列される一方の側と、計画位置の幅に応じて１つ以上の後部バックプレーンコネクタが配列される他方の側とを持つ。前部バックプレーンコネクタおよび接近した後部バックプレーンコネクタは、両側で接続可能なバックプレーン上で同じ水平レベルに位置し、かつ、左右で順にずらされる。一方、前部バックプレーンコネクタおよび接近した後部バックプレーンコネクタは、一定の仕様および同じ接触ピンの形状を持つ。
【００１１】
前部バックプレーンコネクタおよび接近した後部バックプレーンコネクタは、一つのスロット位置の幅を共有してもよい。
【００１２】
前部および後部のバックプレーンコネクタは、電源インターフェースおよび信号インターフェースを備えてもよい。
【００１３】
電源インターフェースおよび信号インターフェースの双方は、上端および下端のコーナに、ガイド用／エラー阻止用のピンを備えてもよい。
【００１４】
この発明の上記の技術スキームから、この発明による両側で接続可能なバックプレーンが、前後のバックプレーンコネクタを左右にずらすことにより、共通のバックプレーンコネクタでもって前部のボードと後部のボードの交換を容易に実現できることを理解できる。
【００１５】
この発明による両側で接続可能なバックプレーンは、プリント回路基板の設計および製造および、バックプレーンの製作時に特別な要求を必要とせず、このことは、製作コストおよび処理時の困難さを低減する。同時に、前部のボードおよび後部のボートの交換は、ボードの設計コストを低減する。
【００１６】
[この発明の詳細な説明]
【００１７】
以下、この発明は、実施例および添付図面を参照して詳細に述べる。
【００１８】
この発明による両側で接続可能なバックプレーンに、両側で接続可能なバックプレーン用の特殊なコネクタを採用する必要性がない。替わりに、狭いバックプレーンコネクタが採用される。実施例では共通のZDコネクタが採用される。２個のコネクタの幅の合計は、１つのスロット位置の幅にほぼ等しいかもしれない。この発明では、２個のコネクタの幅の合計が正確に１つのスロットの幅と位置と等しいことは必要ではなく、従って、この発明は、種々の種類の共通コネクタで実現でき、実施に容易性および柔軟性を与える。
【００１９】
図３は、この発明の好ましい実施例による両側で接続可能なバックプレーンの平面図を示す。図３で示されるように、両側で接続可能なバックプレーン３００上のほぼ一つのスロット位置の間隔内において、その間隔の左半分は、前部バックプレーンコネクタ３０１で占められ、そして、その右半分は、後部バックプレーンコネクタ３１１で占められる。明白なように、その間隔の右半分は、前部バックプレーンコネクタ３０１によって占有され、そして、それの左半分は後部バックプレーンコネクタ３１１によって占有されてもよい。
【００２０】
１つのスロット位置の間隔が２個のバックプレーンのコネクタの幅の合計に対して十分でないなら、両側のコネクタが水平方向に設置されるように、前後のスロット位置が左右にずらすようにしてもよい。一般に、雄コネクタは、両側で接続可能なバックプレーンの前部および後部のバックブレーンのコーナに適用され、そして、雌コネクタは、ボード上に適用される。
【００２１】
図４は、図３で示した両側で接続可能なバックプレーンの正面図を示す。図４に示すように、この実施例の両側で接続可能なバックプレーン上の前部バックプレーンコーナおよび後部バックプレーンコーナは、共にZDコネクタである電源インターフェースコネクタおよび信号インターフェースコネクタを備える。この実施例による両側接続可能なバックプレーン４００の前部バックプレーンコネクタは、電源インターフェースコネクタ４０１および信号インターフェースコネクタ４０２を備える。電源インターフェースコネクタ４０１は、信号インターフェースコネクタ４０２の上または下に位置でき、バックプレーンコネクタのインターフェース接触ピンの形状は、ボードのものと同じである。図４では、参照番号４０３は、後部バックプレーンコネクタの電源インターフェースコネクタを示し、参照番号４０４は、後部バックプレーンコネクタの信号インターフェースコネクタを示す。電源インターフェースコネクタ４０３は、電源インターフェースコネクタ４０１と同一でかつ、同じ水平レベルで配置され、信号インターフェースコネクタ４０４は、信号インターフェースコネクタ４０２と同一でかつ、同じ水平レベルで配置され、そして、同一のインターフェースコネクタは完全に一定の接触ピン形状を持つ。
【００２２】
両側で接続可能なバックプレーンの前部／後部のバックプレーンへボードを正確に差し込むために、この実施例では、ガイド用／エラー防止用のピンが、前／後のバックプレーンコネクタの各々の上および下の端部の双方に設けられる。そのガイド用／エラー防止用のピンは、実際の状況に応じて、前/後のバックプレーンの他の位置に設けられてもよい。
【００２３】
この実施例による両側で接続できるバックプレーンの前部および後部のバックプレーンコネクタが、同じ水平レベルに配置され、そして、一定の接触ピン形状を持ち、そのことが、前部のボードおよび後部のボードを個別に設計する必要性をなくすことが理解される。前部および後部のバックプレーンコネクタは通常、雄のコネクタを採用するので、ボードのコネクタに対する要求は、それらが、前部および後部のバックプレーンコネクタの雄のコネクタに対応して、雌のコネクタを採用することである。その結果、前部のボードおよび後部のボードで交換できることが達成され、ボードのコストも低下する。
【００２４】
さらにこの実施例では、両側で接続可能なバックプレーン上の前部バックプレーンコネクタの個数は、通信サービスの実際の要求に応じて、後部のバックプレーンコネクタの個数と同じが異なってもよい。
【００２５】
この発明による両側で接続可能なバックプレーンが、通常のコネクタでもって、前部のボードと後部のボードとで容易な交換を実現できることが上の実施例から理解できる。この発明による両側で接続可能なバックプレーンは、プリント回路基板の設計および製造、およびバックプレーンの製作に対して特殊な要求を持たず、そのことが、処理時の製作コストおよび困難性を低減する。同時に、前部のボードおよび後部のボードの交換はボードの設計コストを減じる。
【図面の簡単な説明】
【００２６】
【図１】両側で接続可能なバックプレーンとボードとの間の従来技術による接続を概略的に示す。
【図２】両側で接続可能なバックプレーンとボードとの間の従来技術による接続を概略的に示す。
【図３】この発明の好ましい実施例による両側で接続可能なバックプレーンの平面図を示す。
【図４】図３に示した両側で接続可能なバックプレーンの正面図を示す。
【符号の説明】
【００２７】
３００：両側接続可能なバックプレーン
３０１：前部バックプレーンコネクタ
３１１：後部バックプレーンコネクタ
４００：両側接続可能なバックプレーン
４０１：電源インターフェースコネクタ
４０２：信号インターフェースコネクタ
４０３：電源インターフェースコネクタ
４０４：信号インターフェースコネクタ
【図１】
2006524908.tif 000003
【図２】
2006524908.tif 000004
【図３】
2006524908.tif 000005
【図４】
2006524908.tif 000006
【国際調査報告】
2006524908.tif 000007
2006524908.tif 000008
2006524908.tif 000009
2006524908.tif 000010